(57)【要約】      （修正有）【課題】組み立て処理を簡略化し、用紙に対して十分な垂直な力を従動ローラに発生させるための従動ローラ取付構造を供給する。【解決手段】従動ローラ取付機構１００はその上面に溝１３０と孔１１２を有するベース１１０を備えている。溝１３０は後壁１３２、底面１３４、及び対向する２つの側壁１３３を備えている。底面１３４及び後壁１３２は互いに近接している。各側壁１３３はスライド溝孔１３５を備えている。シャフト１２１はスライド溝孔１３５を介して溝１３０を通過するベース１１０の内部に配置され、孔１１２を通って上面１１１から従動ローラ１２０を突出させる。弾性エレメント１４０は弾性力を発生させるためシャフト１２１と後壁１３２の間に配置され、スライド溝孔１３５に沿ってスライドするシャフトを押圧し、孔１１２を通って上面の上方に従動ローラ１２０を常時突出させる。【選択図】図３
0003128796.tif 000002
【実用新案登録請求の範囲】
【請求項１】
少なくとも１つの従動ローラと該従動ローラの軸を通るシャフトを備えた用紙搬送装置用従動ローラ取付機構であって、
内部に前記シャフトを有するベースであって、上面に溝及び孔を有し、該溝は後壁、底面、及び対向する２つの側壁を有し、前記底面と前記後壁とは互いに近接しており、前記各側壁はスライド溝孔を有し、該２つのスライド溝孔を前記シャフトが通過し、前記孔を通ってベースの上面より上方に前記従動ローラを突出させるベースと、
前記溝の内部に設けられ、前記シャフトを押圧する一端部と、前記溝の後壁を押圧する他端部とを有する弾性エレメントと、
を備えていることを特徴とする用紙搬送装置用従動ローラ取付機構。
【請求項２】
前記後壁に支柱が形成され、前記弾性エレメントの一端部が前記支柱に係合され、前記後壁を押圧する請求項１に記載の用紙搬送装置用従動ローラ取付機構。
【請求項３】
前記溝を覆う蓋をさらに含み、該蓋と前記底面との間に前記弾性エレメントを拘束する請求項１に記載の用紙搬送装置用従動ローラ取付機構。
【請求項４】
前記弾性エレメントは圧縮スプリングである請求項１に記載の用紙搬送装置用従動ローラ取付機構。
【請求項５】
前記シャフトを押圧する弾性エレメントの方向は、前記ベースの上面を通過する用紙の方向に垂直を成している請求項１に記載の用紙搬送装置用従動ローラ取付機構。
【請求項６】
前記スライド溝孔の延設方向は、前記ベースの上面を通過する用紙の方向に垂直を成している請求項１に記載の用紙搬送装置用従動ローラ取付機構。
【請求項７】
前記後壁は、前記上面を通過する用紙の方向に垂直を成している請求項１に記載の用紙搬送装置用従動ローラ取付機構。
【請求項８】
少なくとも一方の前記側壁はロック溝孔により開放され、前記蓋は前記ロック溝孔に合致し、前記ロック溝孔に埋め込まれるフックを有している請求項１に記載の用紙搬送装置用従動ローラ取付機構。
【請求項９】
前記ロック溝孔は前記スライド溝孔に接続されている請求項１に記載の用紙搬送装置用従動ローラ取付機構。
【考案の詳細な説明】
【技術分野】
【０００１】
本発明は、用紙搬送装置に関し、特に、用紙搬送装置用従動ローラ取付機構に関する。
【背景技術】
【０００２】
光電技術の益々の発展及び事業の開発により、プリンタ、スキャナー、コピー機、及び多機能周辺機器（ＭＦＰ）等の製品は、事務所、家庭及び学生だけでなく、日常生活において広く使用される人気のある文書処理装置となってきている。
【０００３】
プリンタ、スキャナー、コピー機、及びＭＦＰ等のすべての装置は、処理される文書を処理のための作業領域に搬送するための用紙搬送装置を備えている。概して、用紙搬送装置の用紙搬送ローラセットは、複数の駆動ローラと用紙搬送路の２つの側面に配置される従動ローラとを備えている。駆動ローラは搬送用紙に対する外部電源によって駆動可能である。従動ローラは駆動ローラと共に使用され、駆動ローラと従動ローラの間に用紙を挟み、駆動ローラと従動ローラとの間に十分な摩擦力を発生し、用紙を搬送する。また、従動ローラは、用紙搬送路の側面にのみ配置されていてもよく、これにより、用紙が用紙搬送路の側面に直接接触することを防止し、用紙が用紙搬送路において円滑に搬送されるようになる。
【０００４】
上記要求を考慮して、従動ローラは、駆動ローラと用紙との間に十分な摩擦力を発生し、用紙により駆動される従動ローラを回転させるため、用紙に対して垂直の力を発生しなければならない。一般に、従動ローラのシャフトは用紙搬送装置のベースに遊びをもってゆるく配置され、シャフト及び従動ローラがスプリングにより発生した弾性力により押圧される。しかしながら、従来の用紙搬送装置における従動ローラ取付構造は、スプリングと従動ローラを固定するためベースの内側面に取り付けられた金属板又はプラスチック板を有しており、これにより、コストが高騰し、組み立て作業が複雑化していた。
【０００５】
上記した問題を除去するため、図１に示されているように、別のタイプの従動ローラ取付構造１０が開発されている。図示のように、支持部分１１は用紙搬送装置に設けられ、支持部分１１は開口部１２を有している。シャフト１３は開口部１２を通過し、支持部分１１に遊貫されている。従動ローラ１４はシャフトに設けられ、それにより、用紙搬送装置の駆動ローラ（図示せず）と接触している。スプリング１５はシャフト１３の下方に取り付けられ、シャフト１３を押圧し、シャフト１３に対して垂直な力を供給し、従動ローラ１４を駆動ローラに接触させるようになっている。
【考案の開示】
【考案が解決しようとする課題】
【０００６】
しかしながら、スプリング１５はシャフト１３の下方に取り付けられているため、シャフト１３はスプリングを着脱する前に取り外さなければならず、従動ローラ取付構造１０は容易且つ迅速に着脱することができず、組み立て速度の低下、修理に要する時間の増加、及び製造コストの増大を招いていた。
【０００７】
また、従来の従動ローラ取付構造１０におけるスプリング１５の取付位置は調整できないため、スプリングにより発生する垂直な力の大部分は効果的でない方向に作用し、スプリングの性能が良くなかった。シャフト１３に加わる不均等な力により、従動ローラ１４により発生し、用紙に加えられる垂直な力は不十分であり、従動ローラ１４は回転する用紙により駆動されず、従動ローラ１４と用紙との間に均等なスライド摩擦が存在し、用紙の詰まりが発生したり、用紙がしわになったりしていた。
【０００８】
従来技術において用紙搬送装置の従動ローラ取付構造は構造が複雑であるため、従動ローラ１４により発生し、用紙に加えられる垂直な力を制御することは容易ではなく、用紙は従動ローラによりうまく案内されない。上記したことを考慮して、本発明の目的は、組み立て処理を簡略化し、用紙に対して十分な垂直な力を従動ローラに発生させるための従動ローラ取付構造を供給することである。
【課題を解決するための手段】
【０００９】
上記した目的を達成するため、本発明は、用紙搬送装置用従動ローラ取付機構を供給する。用紙搬送装置は少なくとも１つの従動ローラと該従動ローラを通過するシャフトを有している。従動ローラ取付機構はその中にシャフトを有するベースを備え、該ベースはその上面に溝と孔を有するベースを備えている。溝は後壁、底面、及び対向する２つの側壁を備えている。底面及び後壁は互いに近接している。各側壁はスライド溝孔を備えている。従動ローラシャフトは２つのスライド溝孔を通過し、孔を通って上面から従動ローラを突出させる。本発明の従動ローラ取付機構は、さらに溝に設けられる弾性エレメントを備えている。弾性エレメントの一端部は用紙搬送装置のシャフトを押圧し、他端部は溝の後壁を押圧する。
【００１０】
好ましくは、支柱がさらに後壁に形成され、弾性エレメントの一端部は支柱に係合し、後壁を押圧する。また、蓋が溝を覆うように設けられ、蓋と底面との間に弾性エレメントを拘束する。
【考案の効果】
【００１１】
本発明の利点は、従動ローラ取付機構の組み立て処理が簡略化され、製造コストが低減化されることである。また、従動ローラにより垂直な力が用紙に対して確実に加えられる。
【００１２】
すなわち、本発明の従動ローラ取付機構において、シャフトを押圧する弾性エレメントの方向がベースの上面を通過する用紙の方向に垂直であり、側壁のスライド溝孔の延設方向がベースの上面を通過する用紙の方向に垂直であるため、弾性エレメントにより発生する垂直な力は力の無効成分を作り出すことなくシャフトに十分に作用することができる。
【考案を実施するための最良の形態】
【００１３】
本発明のさらなる適用範囲は、以下に記載する詳細な説明から明らかであろう。しかしながら、本発明の精神及び範囲内の各種変更及び修正はこの詳細な説明から当業者にとって明らかであるから、詳細な説明及び特定の例示は、本発明の好適な実施例を示しているが、例示のみの目的のために提供されることを理解されるべきである。
【００１４】
本発明は、例示のためだけであって、本発明の限定するものではない以下に記載された詳細な説明からより十分に理解されるだろう。
【００１５】
本発明により提供される従動ローラ取付機構は、ＦＡＸ機、コピー機、多機能周辺装置（ＭＦＰ）、スキャナー等の用紙搬送装置に適用可能である。本発明の以下の詳細な説明では、自動用紙搬送装置が本発明の好適な実施例として採用されており、添付した図面は例示のためであり、本発明を限定することを意図するものではない。
【００１６】
図２及び３に示されているように、本発明の実施例のおける用紙搬送装置用従動ローラ取付機構が提供される。用紙搬送装置は少なくとも１つの従動ローラ１２０と該従動ローラ１２０を通過するシャフト１２１とを備えている。例えば、本発明の用紙搬送装置は３つの従動ローラを備え、シャフト１２１は同時にその３つの従動ローラ１２０の中心軸を通過し、３つの従動ローラ１２０をシャフト１２１に固定するようになっている。
【００１７】
従動ローラ取付機構１００は、ベース１１０と、複数の弾性エレメント１４０と、複数の蓋１５０とを備えている。ベース１１０は、用紙搬送装置の一方の用紙搬送路（図示せず）に対応している。ベース１００はその上面１１１に設けられた１つ以上の溝１３０を備えている。本実施例では、ベース１１０は２つの溝１３０を備え、各溝１３０は開口部１３１、後壁１３２、対向する２つの側壁１３３、及び底面１３４を備えている。
【００１８】
支柱１３２ａは後壁１３２に形成されている。２つの側壁１３３は開口部１３１の対向する端部に対応している。各側壁１３３はスライド溝孔１３５とそこに形成されたロック溝孔１３６を備えている。スライド溝孔１３５の延設方向は上面１１１の上方を通過する用紙の方向に垂直である。ロック溝孔１３６はスライド溝孔１３５に接続されている。シャフト１２１はベース１１０に移動可能に設けられ、シャフト１２１はスライド溝孔１３５を介して溝１３０を通過し、シャフト１２１がスライド溝孔１３５内でスライド可能となっている。後壁１３２及び底面１３４は互いに近接しており、後壁１３４は用紙の移動方法に垂直となっている。
【００１９】
複数の孔１１２がベース１１０の上面１１１に形成されており、各穴１１２は従動ローラ１２０にそれぞれ対応して供給され、それにより、シャフト１２１が溝１３０を通過し、ベース１１０に移動可能に設けられる時、従動ローラ１２０の一部分はベース１１０に埋め込まれ、他の部分はベース１１０の上面１１１の上方から突出する。
【００２０】
弾性エレメントの数は溝１３０の数に対応しており、各弾性エレメント１４０は圧縮スプリングであってもよい。各溝１３０はその中に弾性エレメント１４０を有しており、弾性エレメント１４０の一端部は支柱１３２ａに係合し、溝１３０の後壁１３２を押圧し、弾性エレメント１４０の他端部はシャフト１２１を押圧し、ベース１１０の上面１１１より上方に従動ローラ１２０を突出させる垂直な力を供給する。さらに、支柱１３２ａの延設方向及び弾性エレメント１４０ｄにより発生した力の方向は上面１１１の上方を通過する用紙の方向に垂直であり、シャフト１２１を押圧する弾性エレメント１４０の方向が上面１１１を通過する用紙の方向に垂直となるようにもなっている。したがって、弾性エレメントにより発生した垂直な力は、力の無効成分を作り出すことなく、シャフト１２１に十分に作用可能である。
【００２１】
図４及び５に示されているように、蓋１５０の数も溝１３０の数に対応している。各蓋１５０は溝１３０の開口部１３１を覆い、溝１３０を密閉する。各蓋１５０は溝１３０の２つの側壁１３３においてロック溝孔１３６にそれぞれ係止する２つのフック１５１を備えており、溝１３０の開口部１３１に蓋を固定する。また、蓋１５０は溝１３０び底面１３４と共に使用可能であり、弾性エレメント１４０の位置を制限し、その間に弾性エレメント１４０を拘束し、弾性エレメント１４０が圧縮されて変形するのを防止し、力の方向を変え、力の無効成分を作り出すことを防止する。
【００２２】
図６に示されているように、支柱１３２ａは省略可能である。底面１３４及び蓋１５０、弾性エレメント１４０は緩めることなく所定位置に拘束され、２つの端部は後壁１３２及びシャフト１２１を押圧する。
【００２３】
本発明によれば、弾性エレメント１４０はシャフト１２１に常時弾性力を加えることができ、上面を通る用紙に垂直な力を発生させるように、孔１１２を通ってベース１１０の上面１１１から上方に従動ローラ１２０を突出させ、用紙と従動ローラ１２０の間に摩擦接触の関係を形成し、従動ローラを回転するように駆動し、用紙を円滑に移動させることができる。
【００２４】
さらに、本発明に記載された従動ローラ取付機構１００の弾性エレメント１４０は予めシャフト１２１を取り外すことなく着脱可能である。圧縮される弾性エレメント１４０の方向は用紙の移動方向に対して垂直であり、弾性エレメント１４０により発生した垂直な力は従動ローラ１２０に確実に作用し、用紙と従動ローラ１２０との間における力の無効成分の発生を減少させると共に不十分な摩擦力の現象を除去することができる。
【００２５】
そのため、本発明は従動ローラ取付機構の組み立て処理を簡略化する効果を有し、用紙とローラの間に垂直な力を有効に供給し、コストを削減することができる。
【００２６】
上記した本発明は同様なことが多くの方法で変更可能であることが明らかである。そのような変更は本発明の精神及び範囲からの逸脱とみなされるべきではなく、当業者にとって明らかであるすべてのそのような変更は特許請求の範囲内に含まれることを意図するものである。
【図面の簡単な説明】
【００２７】
【図１】従来の用紙搬送装置用従動ローラ取付構造の概略図である。
【図２】本発明の実施例の分解概略図である。
【図３】本発明の実施例の部分的に拡大した分解外略図である。
【図４】本発明の実施例の概略図である。
【図５】本発明の実施例の側断面図である。
【図６】本発明の別の実施例の側断面図である。
【符号の説明】
【００２８】
１００          用紙搬送装置用従動ローラ取付機構
１１０          ベース
１１１          上面
１１２          シャフト
１２０          従動ローラ１２０
１３０          溝
１３２          後壁
１３３          側壁
１３４          底面
１３５          スライド溝孔
１４０          弾性エレメント
【図１】
0003128796.tif 000003
【図２】
0003128796.tif 000004
【図３】
0003128796.tif 000005
【図４】
0003128796.tif 000006
【図５】
0003128796.tif 000007
【図６】
0003128796.tif 000008